(57)【要約】  本発明は、非導電性で非磁性のキャリア（２）より成る、磁気式のポジションセンサ（１）であって、前記キャリア（２）上に、抵抗層（３）と、この抵抗層（３）に対して間隔を保って、少なくとも部分的に抵抗層（３）と互いに上下に位置するピックオフ層（４）とが配置されており、この場合、前記間隔は、前記抵抗層（３）及び前記ピックオフ層（４）の互いに上下に位置する領域に沿って移動可能な磁石装置（５）の影響を受けて、前記抵抗層（３）と前記ピックオフ層（４）とが接触するようになっている形式のものに関する。本発明によれば、前記ピックオフ層（４）が、強磁性の材料より成る、少なくとも一方側が導電性の薄膜である。
2010510480.tif 000002
【特許請求の範囲】
【請求項１】
非導電性で非磁性のキャリア（２）より成る、磁気式のポジションセンサ（１）であって、前記キャリア（２）上に、抵抗層（３）と、この抵抗層（３）に対して間隔を保って、少なくとも部分的に抵抗層（３）と互いに上下に位置するピックオフ層（４）とが配置されており、抵抗層（３）とピックオフ層（４）との前記間隔は、前記抵抗層（３）及び前記ピックオフ層（４）の互いに上下に位置する領域に沿って移動可能な磁石装置（５）の影響を受けて、前記抵抗層（３）と前記ピックオフ層（４）とが接触するようになっている形式のものにおいて、
前記ピックオフ層（４）が、強磁性の材料より成る、少なくとも一方側が導電性の薄膜である、ことを特徴とする、磁気式のポジションセンサ（１）。
【請求項２】
前記ピックオフ層（４）がカバー（６）によって保護されており、該カバー（６）が前記キャリア（２）に結合されている、請求項１記載のポジションセンサ（１）。
【請求項３】
前記カバー（６）が磁束ガイド金属薄板であるか又は磁束ガイド金属薄板を有している、請求項１又は２記載のポジションセンサ（１）。
【請求項４】
前記ピックオフ層（４）が側方のスペーサホルダ（７，１３，１４，１５）を介して前記キャリア（２）及び／又は前記カバー（６）に配置されている、請求項１又は２記載のポジションセンサ（１）。
【請求項５】
前記ピックオフ層（４）が前記カバー（６）上で少なくとも部分的に剥がされ、かつ磁気化されていて、前記カバー（６）が強磁性の材料より成っている、請求項１又は２記載のポジションセンサ（１）。
【請求項６】
少なくとも２つのピックオフ層（４）が設けられており、これらのピックオフ層（４）が抵抗層（３）と協働する、請求項１から５までのいずれか１項記載のポジションセンサ（１）。
【請求項７】
少なくとも１つのピックオフ層（４）が、２つのスペーサホルダ（１３，１４）間で、又は１つのスペーサホルダ（１５）によって前記カバー（６）に及び／又は前記キャリア（２）に保持されている、請求項１から６までのいずれか１項記載のポジションセンサ（１）。
【請求項８】
前記ポジションセンサ（１）が、非磁性の金属より成る保護ケーシング（１６）を有している、請求項１から７までのいずれか１項記載のポジションセンサ（１）。
【請求項９】
前記保護ケーシング（１６）が両側部に縁曲げ部（１７）を有しており、これらの縁曲げ部（１７）が前記カバー（６）及び／又は前記キャリア（２）を側方で包囲している、請求項７記載のポジションセンサ（１）。
【請求項１０】
前記保護ケーシング（１６）が２つの部分、殊に２つの半部より成っており、前記ポジションセンサ（１）が前記２つの部分間に配置されていて、前記保護ケーシング（１６）の両側部が、接着、はんだ付け、溶接、かしめ等によって閉鎖されている、請求項７記載のポジションセンサ（１）。
【請求項１１】
前記ポジションセンサ（１）がインターフェース（１８）を備えている、請求項１から１０までのいずれか１項記載のポジションセンサ（１）。
【発明の詳細な説明】
【技術分野】
【０００１】
本発明は、非導電性で非磁性のキャリアより成る、磁気式のポジションセンサであって、前記キャリア上に、抵抗層と、この抵抗層に対して間隔を保って、少なくとも部分的に抵抗層と互いに上下に位置するピックオフ層とが配置されており、この場合、抵抗層とピックオフ層との前記間隔が、前記抵抗層及び前記ピックオフ層の互いに上下に位置する領域に沿って移動可能な磁石装置の影響を受けて、前記抵抗層と前記ピックオフ層とが接触するようになっている形式のものに関する。
【０００２】
エレメントの位置を、基準位置に対して相対的に検知するポジションセンサは基本的に公知である。このようなポジションセンサは例えばドイツ連邦共和国特許第４３３９９３１号明細書に開示されている。しかしながらこの公知のポジションセンサは、機械的に圧力の作用によって作業するので、ポジションセンサが高い摩耗にさらされる、という欠点を有している。
【０００３】
このような摩耗の影響を減少するために、磁気式のポジションセンサが、例えばドイツ連邦共和国特許第１９６４８５３９号明細書又はドイツ連邦共和国特許公告第１０２００４００４１０２号明細書により公知である。
【０００４】
冒頭に述べた形式の受動形の磁気式のポジションセンサは、ドイツ連邦共和国特許第１９５２６２５４号明細書により公知である。このポジションセンサは、非導電性で非磁性のキャリアより成っており、このキャリア上に、抵抗層と、この抵抗層に対して間隔を保って少なくとも部分的に上下に位置するピックオフ層が配置されている。ピックオフ層は、蛇行状に形成され、かつ２つのスペーサホルダ間に配置された曲げバー（Biegebalken）構造である。ピックオフ層と抵抗層との間の間隔は、抵抗層とピックオフ層との互いに上下に位置する領域に沿って移動可能な磁石装置（永久磁石）の影響を受けて、抵抗層とピックオフ層との間の接触が生じる程度に選定されており、その結果、抵抗層に電圧が印加されると、検出可能な抵抗変化が生じ、ポジションセンサに対する永久磁石の相対位置の量が示されるようになっている。
【０００５】
このようなセンサは、摩耗作用を最小にするが、構造費用が高価であるという欠点がある。何故ならば、ピックオフ層を蛇行状の曲げバー構造に形成するためには高価な製造費用を必要とするからである。しかも、蛇行状の曲げバー構造を２つのスペーサホルダの間に配置する必要があり、この場合、この蛇行状の曲げバー構造はポジションセンサの運転中に機械的な負荷がかかって損傷を被ることがある、という欠点がある。
【０００６】
そこで本発明の課題は、冒頭に述べた形式のポジションセンサを改良して、摩耗にさらされることがなく、構造的に改善され、特にポジションセンサの構造高さが低減され、しかも製造が簡単な磁気式のポジションセンサを提供することである。
【０００７】
この課題は本発明によれば、請求項１の特徴部によって解決された。
【０００８】
本発明によれば、ピックオフ層として、強磁性の材料より成る、少なくとも一方側が導電性の薄膜（フィルム）が用いられている。強磁性の材料より成る薄膜をピックオフ層として使用したことによって、この薄膜は、ポジションセンサに働く外部の機械的な作用に対して非常に頑丈であり、またこのような薄膜は、（蛇行状の曲げバー構造とは異なり）製造が非常に簡単で、かつ製造時の取り扱いが簡単である、という利点を有している。ピックオフ層は強磁性の材料より成っているので、磁石装置特に永久磁石によって最適に、磁気作用の範囲内で点状に抵抗層に引き寄せられるようになっており、従って検出可能な所望の抵抗変化が得られる。これによって、磁石装置をより小さく構成することができ、またポジションセンサの構造高さを低減することができる。何故ならば、より小さい磁石をポジションセンサに近づけることができるからである。しかも、キャリアを相応に形状付与することによって、抵抗層及びピックオフ層をキャリアに配置、つまり固定することができるので、従来技術において必要とされていたスペーサホルダを省くことができる。それによって、ポジションセンサ全体の構造高さを低減することができる。
【０００９】
特に有利な形式で、キャリアも、抵抗層も、ピックオフ層も、またキャリアのカバーも、硬い薄膜又はフレキシブルな薄膜より形成されており、それによってポジションセンサの全構造高さを低減することができる。
【００１０】
本発明の実施態様によれば、ピックオフ層はカバーによって保護されており、この場合、カバーはポジションセンサのキャリアに結合されている。これによって、ポジションセンサを簡単に製造することができる。何故ならば、まずキャリアが製造され、次いで抵抗層を設け、次いでピックオフ層を被着し、次いで、このようにして形成された、既に機能性を有するポジションセンサの全体構造に付加的なカバーを設けて、外部の影響から保護されるようになっているからである。しかもこれによって、任意の長さのポジションセンサを簡単な形式で製造することができる、という利点が得られる。ポジションセンサの前記エレメントが、フレキシブルな薄膜であれば、有利な形式で、ポジションセンサの基本形状を圧延によって製造することができ、この場合、製造しようとするポジションセンサの長さに応じてエンドレス材料を簡単に切り取って、完成されたポジションセンサに加工することができる。その他の加工は、例えば、ポジションセンサの、脇へそらされた部分の両端部に接続部材を取り付けるようにして行われ、この際に一方側において前記接続部材からケーブルが突き出され、さらにケーブルの端部に例えば（必ずしも必要なわけではないが）コネクタが設けられている。このコネクタを介して、ポジションセンサは評価装置に接続され、この評価装置にポジションセンサが接続されていて、この評価装置は、ポジションセンサに対して磁石装置が相対運動する際の抵抗変化を検出するために構成されている。
【００１１】
本発明の実施態様によれば、前記カバーが磁束ガイド金属薄板であるか又は磁束ガイド金属薄板を有している。このような磁束ガイド金属薄板によって、磁気作用は高められ、ポジションセンサの感度は高められるか、若しくは磁石装置の磁気力の強さがそれに伴って減少される。この実施態様によれば、カバーは例えばプラスチックハウジングであって、このプラスチックハウジング内に、適当な磁束ガイド金属薄板が挿入され、ここで固定される。固定は、例えば接着又はかしめによって行われる。また、前記カバーを射出成形法で製造することも考えられる。この場合、磁束ガイド金属薄板は、カバーを形成するプラスチック材料と共に、少なくとも部分的に又は特に完全に射出成形で埋め込まれる。それと同時に、選択的に、カバーが硬いプラスチック部分又はフレキシブルなプラスチック部分特に薄膜であってもよい。この場合、磁束ガイド金属薄板は、位置が検知される構成部分であるエレメントによって形成される。これは、例えば、ポジションセンサが車両のシート（座席）のシートレールに固定されていて、この場合シートのリニア（線）運動によって、磁石装置は、例えば車両のシャシー（車体）に固定されたポジションセンサに対して相対的に移動せしめられる。
【００１２】
本発明の実施態様によれば、互いに向き合う２つの薄膜（パートナー薄膜）においてピックオフ層（タップ薄膜）と抵抗層との組み合わせが形成されている。抵抗層側は次のように構成されている。強磁性の薄膜をベースとして、このベースに誘電体を薄く被着し、タップ薄膜と、抵抗回路を備えたパートナー薄膜とが、同時にコンタクトスプリング及び磁石可動子を形成するようにして、構成されている。接触操作は、外部から作用する磁界によって行われる。この磁界は、近傍に設けられた永久磁石又は所属のマグネットコイルによって電気的に生ぜしめられる。この磁界によって、２つのコンタクト舌片（波の谷及び波の山）引き寄せられ、その頂点で接触し、それによって電気的な回路を閉成し、この回路内に抵抗層が配置されている。磁界が低下するか又は所定の力を下回ると（特に、磁石装置がポジションセンサから垂直に離れる方向に移動せしめられると）、ばね作用に基づいて接点が再び開放する。つまり波の谷が波の山から離れる。コンタクト舌片は磁石の領域だけが引き寄せられるので、電位差回路を形成する。しかしながら磁石がポジションセンサに対して相対的に長手方向で移動すると、ピックオフ層及び／又は抵抗層の波は、ポジションセンサの長手方向に亘って転動する。
【００１３】
本発明によるポジションセンサは、次のように用いられる（完全であることは要求されない）。
・線形及び３６０°環状形
・線形で、軸方向で波形に巻き付けられた形
・組み込み形状：直線、波形、曲線、３Ｄ配置
・センサは固定されていて、磁石は移動せしめられるか若しくは逆転されている。
・有利な形式で車両の次の部分に使用される：
○  スライディングルーフ
○  シート調整
○  トランクルームフロア
○  スライディングドア
○  ドア
○  テールゲート
○  コンバーチブルルーフ
○  油圧式並びに空圧式のシリンダ
○  ウィング、スポイラ調整装置
○  ウインド
○  操作棒
○  マックファードンストラット
○  液レベル
○  バックレスト
○  舵角
○  ペダルストローク及びペダル角度
○  ファジー論理スイッチ
・可能な構造形状
○  直線状
○  曲線状
○  曲面状
○  アーチ形
○  線形
○  環状形
本発明の選択的な実施態様によれば、少なくとも１つの抵抗層及び／又は少なくとも１つのピックオフ層をフィンガー（指）形に構成することが考えられる。フィンガー形は、細長く構成されたポジションセンサにおいて長手方向に対して直交する横方向に整列されていて、少なくとも部分的にオーバラップして（重なり合って）おり、それによって、磁石装置の磁界が作用すると互いに当接するようになっている。このような抵抗層若しくはピックオフ層のフィンガー形又はコーム（櫛）形の構成は、例えば側方の端部領域（つまり例えばピックオフ層がスペーサホルダ内で緊締されている領域とは反対の領域）だけに設けられているか、又は各層がそれぞれのエレメントに固定されている領域まで達しているか、又はこの領域内に侵入している。
【００１４】
本発明によるポジションセンサの重要な利点は、その構造及び選択された材料に基づいて、磁石装置が長期に亘って同一の箇所に存在している場合でも、抵抗層とピックオフ層とが接着することがない、という点にある。この関連性から、ポジションセンサは、車両のシートのシートレールに固定されており、この場合、ポジションセンサによって車両のシャシーを基準としたシートの位置が検知される。ここでは、シートが長期に亘って移動せしめられることが考えられる。何故ならば、車両は常に同じ運手者によって運転されるからである。非常に長い期間後に、シートが一度調整された位置から移動せしめられる場合でも、ピックオフ層の変位された波（波の谷若しくは波の山）が抵抗層に付着したままの状態を維持することはない。シートがずらされ、それによって磁界が変化することに基づいて、波の山若しくは波の谷が、初期位置から移動するので、それによってピックオフ層と抵抗層とは、位置及びひいてはポジションセンサの抵抗を検知する目的で当接するにも拘わらず、ピックオフ層は抵抗層に付着した状態を維持することはない。
【００１５】
相応の利点が得られる、本発明の別の実施態様は従属請求項に記載されている。また従属請求項の特徴は、以下に図面を用いて説明されている。
【図面の簡単な説明】
【００１６】
【図１】本発明の１実施例によるポジションセンサの概略的な断面図である。
【図２】磁石装置５の領域内でピックオフ層４が抵抗層に向かって引き寄せられている状態を示す、ポジションセンサ１の概略的な縦断面図である。
【図３】永久磁石５の領域内でスペーサホルダ７に対して平行に側方に、抵抗層３に引き寄せられている状態を示す、ポジションセンサ１の概略的な縦断面図である。
【図４】強磁性の材料より成るカバー６において磁化されたピックオフ層４より成るポジションセンサ１の概略的な縦断面図である。
【図５】図４と同じ構造で、磁石５の極性が変換されていて、磁石の磁界がピックオフ層４を逆方向に押し付けている状態を示すポジションセンサ１の概略的な縦断面図である。
【図６】２つの磁石が設けられているポジションセンサ１の概略的な縦断面図である。
【図７】別の構成のポジションセンサ１の概略的な縦断面図である。
【図８】図７に示したポジションセンサ１の概略的な縦断面図である。
【図９】別の構成によるポジションセンサ１の概略的な縦断面図である。
【図１０】別の構成によるポジションセンサ１の概略的な縦断面図である。
【図１１】図１〜図１０に示したポジションセンサ１の概略的な斜視図である。
【図１２】別の構成によるポジションセンサ１の概略的な部分断面図である。
【図１３】別の構成によるポジションセンサ１の概略図である。
【図１４】図１３に示したポジションセンサ１のピックオフ層４及び抵抗層３を示す概略図である。
【発明を実施するための形態】
【００１７】
図面では、磁気式のポジションセンサに符号１が付けられている。図１に示されているように、ポジションセンサ１は、非導電性で、しかも非磁性のキャリア２より成っていて、該キャリア２上に抵抗層３が配置されているか、若しくは固定されていて、この抵抗層３に対して間隔を保って少なくとも部分的に互いに上下に位置するピックオフ層４が設けられている。抵抗層３は、例えばキャリア２の切欠内に配置され、この場合、キャリア２のその他の段部状の構造が、強磁性材料より成る薄膜（フィルム）として構成されたピックオフ層４を受容する。この２つの層３，４は、例えば側方で部分的に又は完全にキャリア２と型押し又は接着等によって結合されている。さらにまた、永久磁石５として構成された、ポジションセンサ１に対して相対的に移動可能な磁石装置が設けられている。ポジションセンサの以上述べたエレメントは、カバー６によって保護されており、この場合、カバー６は例えば同様に非導電性で、非磁性の材料より成っていて、例えば側方領域でキャリア２に結合されている。またカバー６の上側の部分領域は、磁石５の磁気作用を高めるために、磁束ガイド金属薄板より成っており、それによって有利な形式で、ポジションセンサ１全体を、よりフラット（扁平）に構成することができる。
【００１８】
図２及び図３には、ポジションセンサ１の種々異なる作用形式が示されている。図２によれば、磁石装置５の領域内でピックオフ層４が抵抗層に向かって引き寄せられている。何故ならば、磁石装置５の一方の極が、ピックオフ層４を抵抗層３に向かって引き寄せるからである。これによって、図２に示されているように湾曲部（凹み）が形成される。図３によれば、ピックオフ層４は、側方のスペーサホルダ７に配置されていて、それによって、永久磁石５の領域内でスペーサホルダ７に対して平行に側方に、抵抗層３に引き寄せられる。つまり、磁石５がポジションセンサ１に対して相対的に移動せしめられると（図２及び図３で見て右方向又は左方向に）、磁石５は、永久磁石５の領域内における薄膜の形状のピックオフ層４を波の形で引き寄せ、このピックオフ層５を抵抗層３に向かって押し付け、それによって、ポジションセンサ１に対して相対的な磁石５のそれぞれの位置が検知される。
【００１９】
図４には、強磁性の材料より成るカバー６において磁化されたピックオフ層４より成るポジションセンサ１が示されている。これは、図２に示した側方のスペーサホルダ７を省くことができる、という利点を有している。永久磁石５は、薄膜として構成されたピックオフ層４を、磁石５の領域においてのみ、やはりきれいな波の形で引き寄せ、それによって抵抗層３に押し付ける。
【００２０】
図５には、図４と同じ構造で、磁石５の極性が変換されており、それによって、磁石の磁界がピックオフ層４を逆方向に押し付けている状態が示されている。これによって、ピックオフ層４は抵抗層３から意図的に離れる方向に押し付けられる。これは、ピックオフ層４を所定の初期位置にもたらすために、逆転された永久磁石５がポジションセンサ１の全長に亘って１回移動せしめられる場合に、有利である。
【００２１】
図６には、前記ポジションセンサ１と同様の構造のものに、別の永久磁石８が設けられており、この場合、２つの磁石５，８の極性は逆であって、２つの抵抗層３と、これら２つの抵抗層３の間に配置されたピックオフ層４とが設けられている。２つの磁石５，８の極性が変換されているので、それぞれの磁石の領域内のピックオフ層４は、一方は下側の抵抗層３に、また他方は上側の抵抗層３に押し付けられるか若しくは引き寄せられる。これによって、ポジションセンサ１に対して相対的な２つの磁石５，６のポジションが検知される。
【００２２】
図７には、別の構成のポジションセンサ１の断面図が示されている。図７では、２つの抵抗層３，１０が設けられており、これらの抵抗層３と１０との間に薄膜の形状のピックオフ層４が配置されている。この場合、ピックオフ層４の中央と２つの抵抗層３，１０との間に、やはりスペースが設けられているので、永久磁石５ｇはポジションセンサ１に対して相対的に移動する際に、及び磁石５の極性に基づいてピックオフ層４が下側の抵抗層３に引き寄せられるか、又は上側の抵抗層１０に押し付けられる。磁石５は、例えば永久磁石であるか又は電磁石であって、ブロック、棒、リング、ディスク又はこれと類似の形状であってよく、それぞれポジションセンサ１と適合するように構成される。
【００２３】
図８には、図７による構成と相応の構成が示されており、２つの抵抗層３，１０が設けられていて、これらの抵抗層内で、この抵抗層３と１０との間に配置されたピックオフ層４が、ポジションセンサ１の上側及び下側に配置された磁石５，１１を引き寄せる。
【００２４】
以上の図面では、ポジションセンサのそれぞれ一方側又は同じ側に配置された、個別の磁石５，８，１１が設けられているのに対して、図９によれば、内部で切り替わる極性の連続を有する唯一の磁石１２が設けられている。このような唯一の磁石１２内に生じる極性の連続から、ピックオフ層４は再び、下側の抵抗層３に又は上側の抵抗層４に引き寄せられるか若しくは押し付けられる。
【００２５】
図１０には、少なくとも１つのピックオフ層４が２つのスペーサホルダ１３，１４間に配置されているポジションセンサ１の構造が示されており、この場合、このスペーサホルダ１３，１４は、カバー６とキャリアとによって固定されているか、又は個別のスペーサホルダ１５が設けられていて、このスペーサホルダ１５がピックオフ層４をキャリア２若しくはカバー６に固定する。２つのスペーサホルダ１３，１４又は単独のスペーサホルダ１５を有する構成は、図３に示した構成に相当しており、この場合、図１０による構成は、スペーサホルダ（１３，１４又は１５）によって１つのピックオフ層４だけがキャリア２若しくはカバー６に固定されるだけではなく、一方の抵抗層３（選択的に複数の抵抗層であってもよい）と協働する２つのピックオフ層４が設けられている点で異なっている。つまり、面状の複数のピックオフ層４（又は１つだけのピックオフ層４）が、側方の両端部間でキャリア及びカバー６によって固定され、抵抗層３の領域内では自由な浮動状態にあり、磁石の作用によってのみ抵抗層３に向かって引き寄せられるようになっている。
【００２６】
図１１には、図１〜図１０に示した実施例によるポジションセンサが示されており、この場合、ポジションセンサ１は、非磁性の金属より成る保護ケーシング１６を有している。この非磁性の金属は、例えば、アルミニウム、銅、黄銅、洋銀又はこれと類似の金属である。このような保護ケーシング１６は、これによってポジションセンサ１が著しく頑丈であって、熱安定性が高められ、保護システムＩＰ６９に従って設けることができる、という利点を有している。保護ケーシング１６は、ポジションセンサ１を少なくとも部分的に（図１１に示されているように）又は完全に包囲しており、この場合、図１１に示した実施態様によれば、側部に縁曲げ部１７が設けられていて、この縁曲げ部１７はキャリア２及びカバー６の側部領域を取り囲んでいる。このような縁曲げ部を設ける代わりに、側部領域を互いに接着、はんだ付け、溶接等によって結合してもよい。
【００２７】
抵抗層４及びピックオフ層３（センサフィルム）の、外方に向かっての気密な接触は、例えばヒートシール、導電性接着剤、リベッタ結合、図示の縁曲げ又はこれと類似の手段／方法によって行われる。選択的に、抵抗層４及びピックオフ層３（センサフィルム）の、外方に向かっての開放した接触は、導電性ゴム、はんだ、溶接又はこれと類似のものによって行われる。
【００２８】
図１２にはポジションセンサ１の別の構成が示されている。図１に示した構成と同様に、ポジションセンサ１はキャリア２を有しており、このキャリア２は抵抗層３を備えている。一方の側部にスペーサホルダ１３，１４が設けられており、このスペーサホルダ１３，１４内にピックオフ層４が緊締されている。反対側の他方の側部に一体的なスペーサホルダ１５が設けられている。これらのスペーサホルダ１３，１４，１６上にカバー６が配置されている。ポジションセンサ１の基本的な構成は、前述のように、任意の形状若しくは任意の長さで製作することができる。このようなポジションセンサ１の出力信号を処理したい場合は、図１２に示されているように、インターフェース１８が特にポジションセンサ１の端部に取り付けられる。インターフェース１８は、図示していない評価電子回路を備えたケーシングを有しており、この評価電子回路自体は、ケーブル、コネクタ又はこれと類似のものを介して、後ろに接続された電子機器に接続される。インターフェース１８内に設けられた電子回路を接触させるために、相応の接点１９、例えばコンタクトピンがケーシングから突き出しており、この場合、ポジションセンサ１の側部に複数の開口２０が設けられている。これらの開口２０は例えば打ち抜き成形によって形成される。開口２０の位置は、コンタクトピン１９に対応しており、この場合、前記開口２０並びに所属のコンタクトピン１９は、ポジションセンサ１に関連したその位置に応じて、機械的かつ／または電気的な機能を有している。
【００２９】
例えば電圧インターフェース等のインターフェースを接点に組み込むことによって、センサデータを、顧客による評価ユニットの様々な要求に適合させることができる。これによってセンサは、過負荷に対しても、また顧客によるミスシフトに対しても保護される。さらに、センサの損傷を検知して、評価ユニットに伝達することができる。
【００３０】
図１３及び図１４には、本発明によるポジションセンサ１の別の実施態様が示されている。それと同時に、少なくとも１つのピックオフ層４及び抵抗層３が示されており、この場合、抵抗層３は強磁性のコアを有している。これによって、前記図面に示され、かつ説明された実施例と同様に、磁界によって作動せしめられるポテンシオメータが形成される。何故ならば、コンタクトループは行われず、抵抗層若しくはピックオフ層の谷又は山が載るだけなので、摩耗が避けられるからである。つまり、ピックオフ層に対する抵抗層の当接領域における接触が積極的に避けられ、開放されることによって、検知可能な所望の抵抗変化が得られる。
【００３１】
すべての図面に永久磁石５が図示されており、この場合、一方の極はポジションセンサ１の方向に向いていて、他方の極はそれとは逆方向に向いている。しかも磁石は常に、ポジションセンサ１の一方側又は他方側に配置されている。選択的に、このようなポジションセンサ１において細長い形状又はその他の形状も可能であり、また磁石が部分リング状又はリング状又はこれと類似の幾何学的な形状（例えば馬蹄型）を有していて、このような形状の磁石がポジションセンサ１を取り囲んでいてもよい。しかも、極を、ポジションセンサ１の長手方向又は横方向で図示の整列に対して９０°回転させて、ポジションセンサ１に対して配置することも考えられる。磁石の極を、ポジションセンサ１の軸線に対して平行に又は直交する横方向に整列させると共に、ポジションセンサ１の軸線からそらして配置（斜め配置）することも考えられるが、これは有利な整列ではない。何故ならば、磁石の極をポジションセンサ１の軸線に対して平行に又は直交する横方向に整列させる際に、ピックオフ層に作用する有効力が最大になるからである。
【図１】
2010510480.tif 000003
【図２】
2010510480.tif 000004
【図３】
2010510480.tif 000005
【図４】
2010510480.tif 000006
【図５】
2010510480.tif 000007
【図６】
2010510480.tif 000008
【図７】
2010510480.tif 000009
【図８】
2010510480.tif 000010
【図９】
2010510480.tif 000011
【図１０】
2010510480.tif 000012
【図１１】
2010510480.tif 000013
【図１２】
2010510480.tif 000014
【図１３】
2010510480.tif 000015
【図１４】
2010510480.tif 000016
【国際調査報告】
2010510480.tif 000017
2010510480.tif 000018
2010510480.tif 000019
2010510480.tif 000020
2010510480.tif 000021
2010510480.tif 000022